(57)【特許請求の範囲】
【請求項１】
エレベーターのかご内に設けられ、置かれた指の指紋データを取り込む指紋照合装置と、
複数の指紋データと複数のエレベーターの付加機能とが一対一で対応して登録された付加機能記憶装置と、
上記取り込んだ指紋データが上記登録された指紋データと一致すると、その指紋データに対応する上記エレベーターの付加機能の実行を指令する付加機能指令手段と
を備えてなるエレベーターの制御装置。
【請求項２】
かご内に通話装置を設け、付加機能指令手段を、取り込んだ指紋データが登録された指紋データと一致すると、上記通話装置を上記かご外の監視センタと公衆回線を介して接続することを指令するように構成したことを特徴とする請求項１記載のエレベーターの制御装置。
【請求項３】
かご内に戸開ボタンを設け、付加機能指令手段を、取り込んだ指紋データが登録された指紋データと一致すると、上記戸開ボタンの操作によりエレベーターの扉を開放状態に保持することを指令するように構成したことを特徴とする請求項１又は請求項２記載のエレベーターの制御装置。
【発明の詳細な説明】
【０００１】
【発明の属する技術分野】
この発明は、使用者の便宜を図るための付加機能を有するエレベーターの制御装置に関するものである。
【０００２】
【従来の技術】
近年、エレベーターには使用者の利便性を考慮して、種々の付加機能が与えられている。例えば、地震等の災害や故障等により、かご内に人が閉じ込められた場合に、速やかにかご内の人を救助するため、かご内のインタホンから公衆回線を介して、エレベーターの保守会社の監視センタに対して直接通話できる機能がある。しかし、常にインタホンから通話できるようにすると、エレベーター使用者のいたずら通話により、保守会社のサービス機能が低下するため、エレベーターが故障や異常の場合に限って通話が可能なように設定されている。
【０００３】
また、エレベーターの使用中、引越しや大量の荷物搬入等の場合に備えて、エレベーターの扉を開放状態に保持し、かご内の戸閉ボタンが操作されると扉が閉まるように動作する機能がある。この機能が必要な場合は、保守会社の作業員等に依頼して、エレベーターの設定変更（スイッチ等の設置）をするようにしている。
【０００４】
【発明が解決しようとする課題】
上記のような従来のエレベーターの制御装置では、インタホンによる通話機能をエレベーターが故障や異常の場合に限定しているため、ビルの管理人、住人等がエレベーターの軽微な破損等のため、保守会社に連絡を取りたい場合に通話ができず、せっかくの通話機能が活用されない。すなわち、常時通話可能の機能を不特定の人に開放すると、いたずら等によって、かえってサービス低下になるため、一般には許可できないという問題点がある。
【０００５】
また、エレベーターの扉を開放状態に保持する機能が必要な場合は、保守会社に設定変更を依頼する必要があり、現実には、荷物を扉に挟むなどして、無理に扉を開いておくような運用をしており、エレベーターの故障の原因になったり、使用者が扉に挟まれたりする危険があるという問題点がある。
【０００６】
この発明は、上記問題点を解消するためになされたもので、いたずらを心配することなく、付加機能を増加し、使用者の利便性を向上することができるようにしたエレベーターの制御装置を提供することを目的とする。
【０００７】
【課題を解決するための手段】
この発明の第１発明に係るエレベーターの制御装置は、エレベーターのかご内に設けられ、置かれた指の指紋データを取り込む指紋照合装置と、複数の指紋データと複数のエレベーターの付加機能とが一対一で対応して登録された付加機能記憶装置と、上記取り込んだ指紋データが上記登録された指紋データと一致すると、その指紋データに対応する上記エレベーターの付加機能の実行を指令する付加機能指令手段とを備えたものである。
【０００９】
また、第２発明に係るエレベーターの制御装置は、第１発明のものにおいて、取り込んだ指紋データが登録された指紋データと一致するとかご内の通話装置をかご外の監視センタと公衆回線を介して接続することを指令するようにしたものである。
【００１０】
また、第３発明に係るエレベーターの制御装置は、第１発明又は第２発明のものにおいて、取り込んだ指紋データが登録された指紋データと一致すると、かご内の戸開ボタンの操作によりエレベーターの扉を開放状態に保持することを指令するようにしたものである。
【００１１】
【発明の実施の形態】
実施の形態１．
図１〜図４はこの発明の第１〜第３発明の一実施の形態を示す図で、図１は全体構成図、図２は指紋照合装置部分の構成図、図３は付加機能記憶装置の内容図、図４は動作フローチャートであり、図中同一符号は同一部分を示す。
【００１２】
図１〜図３において、１はエレベーターのかごで、かご１内には通信装置としてのインタホン２及び指紋照合装置３が設置されている。指紋照合装置３は例えば特開平５−０００７７６号公報に示されるように、入力された指紋データとあらかじめ登録された指紋データとを照合して、両者が一致するかを判定する装置であり、付加機能記憶装置４、指紋照合手段５及び付加機能指令手段７を有している。
【００１３】
付加機能記憶装置４には、図３に示すように、登録番号ごとに指紋データが登録され、これに対応してどの付加機能を許可するかが機能番号として登録されている。なお、登録手段としては、かご１内の指紋照合装置３とテンキー（図示しない）を使う場合、別に設置された登録機（図示しない）によって登録する場合等が考えられる。
【００１４】
指紋照合手段５は指紋照合装置３の入力部（図示しない）に置かれた指の指紋データ６ａ，６ｂを入力して、付加機能記憶装置４中の登録指紋データと照合する機能を有している。付加機能指令手段７は上記登録番号に対応した通信指令信号７ａ及び戸開保持指令信号７ｂを出力する。８はかご１の各機器と接続されエレベーターの運転を制御するエレベーター制御盤で、戸開保持指令信号７ｂが入力される。
【００１５】
９はエレベーター制御盤８及びインタホン２に接続された監視装置で、通信指令信号７ａが入力される。監視装置９は公衆回線１０を介して保守会社の監視センタ１１と接続されている。
【００１６】
次に、この実施の形態の動作を図４を参照して説明する。ただし、エレベーターの運転動作についての説明は省略する。
今、図２の付加機能記憶装置４に登録された機能番号の内「１」は通信指令機能を、「２」は戸開保持指令機能を示すものとする。
【００１７】
ステップＳ１で指紋照合装置３の入力部に指が置かれるのを待ち、指が置かれるとステップＳ２でその指の指紋データ６ａを取り込む。次に、ステップＳ３では、入力された指紋データ６ａと、登録指紋データとを照合し、ステップＳ４で指紋データ６ａと一致する登録指紋データがあるかを判断する。一致するものがあれば、ステップＳ５へ進み、その登録番号に該当する機能番号「１」に対応する通信指令信号７ａを、所定時間オンする。一致するものがなければ、この処理は終了する。
【００１８】
通信指令信号７ａは監視装置９へ送られ、監視装置９は所定時間インタホン２の呼びに対して、監視センタ１１に電話を掛けるモードとなる。したがって、その間にインタホン２を使用すれば、保守会社１１に電話が通じ、担当の保守員と通話できるようになる。なお、指紋照合装置３は乗場に設置してもよい。
【００１９】
実施の形態２．
この発明の第４発明の一実施の形態を示し、図１〜図４を共用する。
この場合の操作は、実施の形態１で使用した指とは別の指を使用する以外全く同様である。
すなわち、その指の指紋データ６ｂが取り込まれ、これが登録指紋データと一致すれば、その登録番号に該当する機能番号「２」に対応する戸開保持指令信号７ｂが所定時間オンとなる。
【００２０】
戸開保持指令信号７ｂはエレベーター制御盤８へ送られ、制御盤８は所定時間、かご１内の戸開ボタン（図示しない）が押されるとかご戸及び乗場戸（以下単に扉という）を開放状態に保持するモードになる。したがって、この間に上記戸開ボタンを操作すると扉は開放し、戸閉ボタン（図示しない）を操作するまで開放状態を保持する。
【００２１】
実施の形態１及び２で説明したように、指紋照合装置３を設置することにより、エレベーターへのいたずらを心配することなく、かご１のインタホン２から監視センタ１１の保守員と通話することが可能となる。また、戸開ボタンの操作により、扉を開放状態に保持することが可能となる。
【００２２】
【発明の効果】
以上説明したとおりこの発明の第１発明では、エレベーターのかご内に設けられ、置かれた指の指紋データを取り込む指紋照合装置と、複数の指紋データと複数のエレベーターの付加機能とが一対一で対応して登録された付加機能記憶装置と、上記取り込んだ指紋データが上記登録された指紋データと一致すると、その指紋データに対応する上記エレベーターの付加機能の実行を指令する付加機能指令手段とを備えたものである。
【００２３】
これにより、エレベーターへのいたずらを心配することなく、使用者への付加機能を増やすことができるようになり、エレベーターの使用者への利便性を高めることができる。
【００２４】
また、第２発明では、取り込んだ指紋データが登録された指紋データと一致すると、かご内の通話装置をかご外の監視センタと公衆回線を介して接続することを指令するようにしたので、いたずらに煩わされることなく、かご内から監視センタの保守員と通話することができる。
【００２５】
また、第３発明では、取り込んだ指紋データが登録された指紋データと一致すると、かご内の戸開ボタンの操作によりエレベーターの扉を開放状態に保持することを指令するようにしたので、いたずらに煩わされることなく、戸開ボタンの操作により、扉を開放状態に保持することができる。
【図面の簡単な説明】
【図１】  この発明の実施の形態１及び実施の形態２を示す全体構成図。
【図２】  図１の指紋照合装置部分の構成図。
【図３】  図２の付加機能記憶装置の内容図。
【図４】  この発明の実施の形態１及び実施の形態２を示す動作フローチャート。
【符号の説明】
１  エレベーターのかご、２  通話装置（インタホン）、３  指紋照合装置、４  付加機能記憶装置、５  指紋照合手段、６ａ，６ｂ  指紋データ、７  付加機能指令手段、７ａ  通信指令信号、７ｂ  戸開保持指令信号、８  エレベーター制御盤、９  監視装置、１０  公衆回線、１１  監視センタ。
【図１】
0004286967.tif 000002
【図２】
0004286967.tif 000003
【図３】
0004286967.tif 000004
【図４】
0004286967.tif 000005